(57)【要約】【課題】閉じてチューブを押圧・挟持する時の操作性に優れ、開放する時も操作性が良いクランプを提供すること。【解決手段】基部2と可動部3を有し、基部2は基部側チューブ押圧部突部2.1Tとチューブ保持部5を形成し、可動部3は可動部側チューブ押圧部突部6Tと可動部側係合部8を形成している。可動部側チューブ押圧部突部6Tは下部に湾曲部6TRを形成し、湾曲部6TRの側部に一対の突起6TTを形成している。可動部側係合壁8Wと基部側係合壁9Wとを係合し、かつ突起6TTがチューブ保持部5の側壁溝5WSMに挿入されることにより、チューブTはチューブ保持空間5SP内で、可動部側チューブ押圧部突部6Tの湾曲部6TRと基部側チューブ押圧部2.1の湾曲部2.1Rとの間で押圧・挟持され、チューブＴの流路は閉塞される。【選択図】図１
2017148442.tif 000002
【特許請求の範囲】
【請求項１】
基部（２）と可動部（３）とを有し、
前記基部（２）は基端（ＰＥ）側に、基端連結部（７ＰＥ）を形成し、当該基端連結部（７ＰＥ）は、基端開口（７ＰＥＯ）を形成し、
前記基部（２）は末端（ＤＥ）側に、末端連結部（７ＤＥ）を形成し、当該末端連結部（７ＤＥ）は、末端開口（７ＤＥＯ）を形成し、
前記基端連結部（７ＰＥ）の上部（Ｕ）側に前記可動部（３）を形成し、
前記末端連結部（７ＤＥ）の上部（Ｕ）側に基部側係合部（９）を形成し、
当該基部側係合部（９）は、下部（Ｄ）側に基部側係合壁（９Ｗ）を形成し、
前記基部（２）は、長手（Ｌ）方向の略中央部の上部（Ｕ）側に基部側チューブ押圧部（２．１）を形成し、当該基部側チューブ押圧部（２．１）は、上部（Ｕ）側に湾曲部（２．１Ｒ）を形成し、
前記基部（２）は、長手（Ｌ）方向の略中央部で、かつ上部（Ｕ）側にチューブ保持部（５）を形成し、
当該チューブ保持部（５）は、前記基部側チューブ押圧部（２．１）を、側部（Ｓ）の一方向から他の側部（Ｓ）の一方向及び末端（ＤＥ）側から上部（Ｕ）側から覆うように、基部（２）の下部（Ｄ）側から上部（Ｕ）側に立設し、
前記可動部（３）は、末端（ＤＥ）側に可動部側係合部（８）を形成し、
当該可動部側係合部（８）は、上部（Ｕ）側に可動部側係合壁（８Ｗ）を形成し、末端（ＤＥ）側から下部（Ｄ）側に亘って湾曲部（８Ｒ）を形成し、
前記可動部（３）は、下部（Ｄ）側に可動部側チューブ押圧部（６）を形成し、
当該可動部側チューブ押圧部（６）は、下部（Ｄ）側に可動部側チューブ押圧部突部（６Ｔ）を形成し、
当該可動部側チューブ押圧部突部（６Ｔ）は、略中央部の下部（Ｄ）側に湾曲部（６ＴＲ）を形成し、当該湾曲部（６ＴＲ）の側部（Ｓ）の一方向から他の側部（Ｓ）の一方向に一対の突起（６ＴＴ）を形成し、
前記チューブ保持部（５）は、側部（Ｓ）の一方向から他の側部（Ｓ）の一方向に一対の側壁（５ＷＳ）を形成し、
末端（ＤＥ）側から上部（Ｕ）側に亘って前記一対の側壁（５ＷＳ）の末端（ＤＥ）側から上部（Ｕ）側を繋ぐ末端側上部壁（５ＤＥＵＷ）を形成し、
前記一対の側壁（５ＷＳＳ１、５ＷＳＳ２）及び前記末端側上部壁（５ＤＥＵＷ）によりチューブ保持空間（５ＳＰ）を形成し、
前記チューブ保持部（５）は、上部開口（５ＵＯ）、末端開口（５ＤＥＯ）及び基端開口（５ＰＥＯ）を形成し、
長手Ｌ方向に見て、前記一対の側壁（５ＷＳ）の略中央部に側壁溝（５ＷＳＭ）を形成し、
チューブ（Ｔ）を、前記末端連結部（７ＤＥ）の末端開口（７ＤＥＯ）から前記チューブ保持部（５）の末端開口（５ＤＥＯ）、基端開口（５ＰＥＯ）を経て前記基端連結部（７ＰＥ）の基端開口（７ＰＯ）に挿通し、
前記可動部側係合壁（８Ｗ）と前記基部側係合壁（９Ｗ）を係合し、かつ前記一対の突起（６ＴＴ）が前記側壁溝（５ＷＳＭ）に挿入されることにより、
チューブ（Ｔ）は、前記チューブ保持空間（５ＳＰ）内で、前記可動部側チューブ押圧部突部（６Ｔ）の湾曲部（６ＴＲ）と前記基部側チューブ押圧部（２．１）の湾曲部（２．１Ｒ）との間で押圧・挟持され、これにより当該チューブ（Ｔ）の流路は閉塞される、ことを特徴とするクランプ（１）。
【請求項２】
可動部側係合壁（８Ｗ）の基端（ＰＥ）側に頂部（３Ｔ）を形成し、当該頂部（３Ｔ）は上部（Ｕ）側に湾曲部（３ＴＲ）を形成した、ことを特徴とする請求項１に記載のクランプ（１）。
【請求項３】
可動部（３）は、基端連結部（７ＰＥ）の上部（Ｕ）側から、可動部側係合部（８）、下部湾曲部（３ＤＲ）を経て、基端（ＰＥ）側に戻り、再び可動部側チューブ押圧部（６）の基端（ＰＥ）側に至るまで、内部空間（３ＩＳＰ）を取り囲むように細長いループ状に形成した、ことを特徴とする請求項１または請求項２に記載のクランプ（１）。
【請求項４】
可動部（３）は、基端連結部（７ＰＥ）の上部（Ｕ）側を第１コーナー（１Ｃ）とし、頂部（３Ｔ）の湾曲部（３ＴＲ）を第２コーナー（２Ｃ）とし、
可動部側係合部（８）の湾曲部（８Ｒ）の上部（Ｕ）を第３コーナー（３Ｃ）とし、
前記可動部側係合部（８）の湾曲部（８Ｒ）の頂部を第４コーナー（４Ｃ）とし、
前記可動部側係合部（８）の湾曲部（８Ｒ）の下部（Ｄ）を第５コーナー（５Ｃ）とし、
可動部側チューブ押圧部突部（６Ｔ）の湾曲部（６ＴＲ）を第６コーナー（６Ｃ）として、
前記６つの第１コーナー（１Ｃ）から第６コーナー（６Ｃ）で、内部空間（３ＩＳＰ）を取り囲むように細長いループ状に形成した、ことを特徴とする請求項１から請求項３のいずれか１項に記載のクランプ（１）。
【請求項５】
基部側係合部（９）は、末端（ＤＥ）側から上部（Ｕ）側に亘って延長部（９Ｌ）を形成し、当該延長部（９Ｌ）は基端（ＰＥ）側から上部（Ｕ）側に反るように湾曲部（９Ｒ）を形成した、ことを特徴とする請求項１から請求項４のいずれか１項に記載のクランプ（１）。
【請求項６】
可動部（３）の上部（Ｕ）側は、基端連結部（７ＰＥ）の上部（Ｕ）側近傍から頂部（３Ｔ）方向に向けて反るように緩やかに湾曲した上部湾曲部（３ＵＲ）を形成し、
下部（Ｄ）側は可動部側係合部（８）から可動部側チューブ押圧部（６）の可動部側チューブ押圧部突部（６Ｔ）方向に反るように湾曲した下部湾曲部（３ＤＲ）を形成した、ことを特徴とする請求項１から請求項５のいずれか１項に記載のクランプ（１）。
【請求項７】
チューブ（Ｔ）の流路を閉塞した状態で、末端（ＤＥ）方向に延長部（９Ｌ）を押すと前記基部側係合部（９）は末端（ＤＥ）方向に移動し、可動部側係合壁（８Ｗ）と基部側係合壁（９Ｗ）の係合を解除することができる、ことを特徴とする請求項１から請求項６のいずれか１項に記載のクランプ（１）。
【請求項８】
側壁溝（５ＷＳＭ）は、下部（Ｄ）側から上部（Ｕ）側に亘って、下部側壁溝（５ＷＳＭＤ）と上部側壁溝（５ＷＳＭＵ）を繋げて形成した、ことを特徴とする請求項１から請求項７のいずれか１項に記載のクランプ（１）。
【請求項９】
一対の側壁（５ＷＳ）は、一対の側壁溝（５ＷＳＭ）を隔てて、長手（Ｌ）の一方向から他の長手（Ｌ）の一方向に一対の基端側壁（５ＷＳＰＥ）と一対の末端側壁（５ＷＳＤＥ）を形成した、ことを特徴とする請求項１から請求項８のいずれか１項に記載のクランプ（１）。
【請求項１０】
基部側係合部（９）の側部（Ｓ）の一方向から他の側部（Ｓ）の一方向幅を（９ＳＷ）、可動部側係合部（８）の側部（Ｓ）の一方向から他の側部（Ｓ）の一方向の幅を（８ＳＷ）とすると、前記幅（９ＳＷ）と前記幅（８ＳＷ）とを実質的に同じ幅に形成した、ことを特徴とする請求項１から請求項９のいずれか１項に記載のクランプ（１）。
【請求項１１】
基部側チューブ押圧部（２．１）の高さを（Ｈ１）、
基部（２）の上部（Ｕ）から末端側上部壁（５ＤＥＵＷ）の下部（Ｄ）までの高さを（Ｈ２）、
可基端連結部（７ＰＥ）の末端（ＤＥ）側の頂部（７Ｔ）の高さを（Ｈ３）として、
前記高さ（Ｈ３）を１００とすると、前記高さ（Ｈ２）は５０〜３５で、かつ前記高さ（Ｈ１）は２０〜７に形成した、ことを特徴とする請求項１から請求項１０のいずれか１項に記載のクランプ（１）。
【請求項１２】
チューブ（Ｔ）と、請求項１から請求項１１のいずれか１項に記載のクランプ（１）とを有し、前記チューブ（Ｔ）の途中に、前記クランプ（１）を装着した、ことを特徴とする医療用具。
【発明の詳細な説明】
【技術分野】
【０００１】
本発明は、クランプの改良に関し、クランプに挿通したチューブの流路を閉塞する際に、チューブのガタツキがなく確実に閉塞でき、さらにチューブの流路の閉塞状態を長時間、維持継続できるクランプの改良に関する。
本発明のクランプは、例えば、血液チューブを有する体液循環回路（例えば血液透析用回路、血液浄化用回路等）、血液バッグを有する血液採取器具（血液保存器具）、輸液（薬液）バッグを有する医薬品関連器具（例えば、高カロリー輸液容器、薬液容器）、輸液・輸血セット等の各種医療用具の構成部品であるチューブの途中に装着して、好適に使用することができる。
【背景技術】
【０００２】
本願出願人は、特許文献１（特開２０１３−１７６５４３号）にガタツキがなく確実に閉塞でき、さらにチューブの流路の閉塞状態を長時間、維持継続できるクランプの発明を開示した。（以下、本願の符号と区別するために、符号、図の番号、文献番号に〈  〉を付けた。）
特許文献１の図〈１〉から図〈７〉に記載のクランプ〈１〉（図〈８〉から図〈９〉に記載のクランプ〈１´〉も同じ）は、基部〈２〉は基端連結部〈７ＰＥ〉と末端連結部〈７ＤＥ〉を有し、基端連結部〈７ＰＥ〉に可動部〈３〉を形成し、末端連結部〈７ＤＥ〉に、基部側係合補助部〈９Ｔ〉を有する基部側係合部〈９〉を形成している。
基部〈２〉は基部側チューブ押圧部突部〈２．１Ｔ〉とチューブ保持部〈５〉を有し、可動部〈３〉は、可動部側チューブ押圧部突部〈６Ｔ〉と、一対のガイド部〈８Ｇ（８Ｓ１Ｇ、８Ｓ２Ｇ）〉を備えた可動部側係合部〈８〉を有する。
チューブ保持部〈５〉は、第１側壁〈５Ｓ１Ｗ〉、第２側壁〈５Ｓ２Ｗ〉、末端側壁〈５ＤＥＷ〉及び基端側壁〈５ＰＥＷ〉の四方の壁を有し、これらによりチューブ保持空間〈ＳＰ〉を形成し、チューブ〈Ｔ〉は、当該空間〈ＳＰ〉内で、可動部側チューブ押圧部突部〈６Ｔ〉と基部側チューブ押圧部突部〈２．１Ｔ〉との間で押圧され、チューブ〈Ｔ〉の流路は閉塞される。
【先行技術文献】
【特許文献】
【０００３】
【特許文献１】特開２０１３−１７６５４３号公報（特許請求の範囲、図１〜図１０）
【発明の概要】
【発明が解決しようとする課題】
【０００４】
特許文献１に記載のクランプ〈１〉は、クランプ〈１〉に挿通したチューブ〈Ｔ〉の流路を閉塞する際に、チューブ〈Ｔ〉のガタツキがなく確実に閉塞でき、さらにチューブ〈Ｔ〉の流路の閉塞状態を長時間、維持継続できるようにすることを目的として、発明されたクランプ〈１〉であるが、当該特許文献１に記載の公知文献（特許文献〈１〉、〈２〉）よりは優れているものの、ユーザー（医師、看護師、透析技師等）は、各個人の恣意的な好みにもよるが、その性能にまだ充分満足していない。
例えばユーザー（医師、看護師、透析技師等）から次の課題が指摘されている。
（１）開放操作が容易であること、すなわち開放操作が実施しやすい形状が望ましい。特許文献１のクランプ〈１〉は、可動部〈３〉の末端ＤＥ側の両側部（第１側部Ｓ１側と第２側部Ｓ２側）に、ガイド部〈８Ｇ〉（第１側部側ガイド部〈８Ｓ１Ｇ〉、第２側部側ガイド部〈８Ｓ２Ｇ〉）を張り出して形成しているので、当該ガイド部〈８Ｇ〉が開放操作の際に障害となり、操作が実施しにくい等の指摘がある。
（２）閉塞前または閉じた時に、折れ、変形、破損、開放する虞がない形状が好ましい。特許文献１のクランプ〈１〉は、図〈６〉、〈７〉のように閉塞前または閉じている時に、張り出したガイド部〈８Ｇ〉（〈８Ｓ１Ｇ〉、〈８Ｓ２Ｇ〉）が、他の物体等に強く接触して、予期しない強い外力が負荷されると折れ、変形、破損、開放する懸念が指摘される。
（３）可動部側チューブ押圧部突部〈６Ｔ〉の破損（先端が欠ける）等による閉塞不良が発生する懸念がないこと。
特許文献１のクランプ〈１〉は、可動部側チューブ押圧部突部〈６Ｔ〉が先細りになっている。
当該可動部側チューブ押圧部突部〈６Ｔ〉は、前記四方の壁で包囲されるチューブ保持空間〈ＳＰ〉内に置いたチューブ〈Ｔ〉を基部側チューブ押圧部突部〈２．１Ｔ〉との間で押圧するので、細い先端に強い負荷がかかり、先端の破損（先端が欠ける）等が起こる懸念が指摘される。
【課題を解決するための手段】
【０００５】
そこで本発明者は、以上の課題を解決するために鋭意検討を重ねた結果、次の発明に到達した。
［１］本発明は、基部（２）と可動部（３）とを有し、
前記基部（２）は基端（ＰＥ）側に、基端連結部（７ＰＥ）を形成し、当該基端連結部（７ＰＥ）は、基端開口（７ＰＥＯ）を形成し、
前記基部（２）は末端（ＤＥ）側に、末端連結部（７ＤＥ）を形成し、当該末端連結部（７ＤＥ）は、末端開口（７ＤＥＯ）を形成し、
前記基端連結部（７ＰＥ）の上部（Ｕ）側に前記可動部（３）を形成し、
前記末端連結部（７ＤＥ）の上部（Ｕ）側に基部側係合部（９）を形成し、
当該基部側係合部（９）は、下部（Ｄ）側に基部側係合壁（９Ｗ）を形成し、
前記基部（２）は、長手（Ｌ）方向の略中央部の上部（Ｕ）側に基部側チューブ押圧部（２．１）を形成し、当該基部側チューブ押圧部（２．１）は、上部（Ｕ）側に湾曲部（２．１Ｒ）を形成し、
前記基部（２）は、長手（Ｌ）方向の略中央部で、かつ上部（Ｕ）側にチューブ保持部（５）を形成し、
当該チューブ保持部（５）は、前記基部側チューブ押圧部（２．１）を、側部（Ｓ）の一方向から他の側部（Ｓ）の一方向及び末端（ＤＥ）側から上部（Ｕ）側から覆うように、基部（２）の下部（Ｄ）側から上部（Ｕ）側に立設し、
前記可動部（３）は、末端（ＤＥ）側に可動部側係合部（８）を形成し、
当該可動部側係合部（８）は、上部（Ｕ）側に可動部側係合壁（８Ｗ）を形成し、末端（ＤＥ）側から下部（Ｄ）側に亘って湾曲部（８Ｒ）を形成し、
前記可動部（３）は、下部（Ｄ）側に可動部側チューブ押圧部（６）を形成し、
当該可動部側チューブ押圧部（６）は、下部（Ｄ）側に可動部側チューブ押圧部突部（６Ｔ）を形成し、
当該可動部側チューブ押圧部突部（６Ｔ）は、略中央部の下部（Ｄ）側に湾曲部（６ＴＲ）を形成し、当該湾曲部（６ＴＲ）の側部（Ｓ）の一方向から他の側部（Ｓ）の一方向に一対の突起（６ＴＴ）を形成し、
前記チューブ保持部（５）は、側部（Ｓ）の一方向から他の側部（Ｓ）の一方向に一対の側壁（５ＷＳ）を形成し、
末端（ＤＥ）側から上部（Ｕ）側に亘って前記一対の側壁（５ＷＳ）の末端（ＤＥ）側から上部（Ｕ）側を繋ぐ末端側上部壁（５ＤＥＵＷ）を形成し、
前記一対の側壁（５ＷＳＳ１、５ＷＳＳ２）及び前記末端側上部壁（５ＤＥＵＷ）によりチューブ保持空間（５ＳＰ）を形成し、
前記チューブ保持部（５）は、上部開口（５ＵＯ）、末端開口（５ＤＥＯ）及び基端開口（５ＰＥＯ）を形成し、
長手Ｌ方向に見て、前記一対の側壁（５ＷＳ）の略中央部に側壁溝（５ＷＳＭ）を形成し、
チューブ（Ｔ）を、前記末端連結部（７ＤＥ）の末端開口（７ＤＥＯ）から前記チューブ保持部（５）の末端開口（５ＤＥＯ）、基端開口（５ＰＥＯ）を経て前記基端連結部（７ＰＥ）の基端開口（７ＰＯ）に挿通し、
前記可動部側係合壁（８Ｗ）と前記基部側係合壁（９Ｗ）を係合し、かつ前記一対の突起（６ＴＴ）が前記側壁溝（５ＷＳＭ）に挿入されることにより、
チューブ（Ｔ）は、前記チューブ保持空間（５ＳＰ）内で、前記可動部側チューブ押圧部突部（６Ｔ）の湾曲部（６ＴＲ）と前記基部側チューブ押圧部（２．１）の湾曲部（２．１Ｒ）との間で押圧・挟持され、これにより当該チューブ（Ｔ）の流路は閉塞されるクランプ（１）を提供する。
［２］本発明は、可動部側係合壁（８Ｗ）の基端（ＰＥ）側に頂部（３Ｔ）を形成し、当該頂部（３Ｔ）は上部（Ｕ）側に湾曲部（３ＴＲ）を形成した[１]に記載のクランプ（１）を提供する。
［３］本発明は、可動部（３）は、基端連結部（７ＰＥ）の上部（Ｕ）側から、可動部側係合部（８）、下部湾曲部（３ＤＲ）を経て、基端（ＰＥ）側に戻り、再び可動部側チューブ押圧部（６）の基端（ＰＥ）側に至るまで、内部空間（３ＩＳＰ）を取り囲むように細長いループ状に形成した[１]または[２]に記載のクランプ（１）を提供する。
【０００６】
［４］本発明は、可動部（３）は、基端連結部（７ＰＥ）の上部（Ｕ）側を第１コーナー（１Ｃ）とし、頂部（３Ｔ）の湾曲部（３ＴＲ）を第２コーナー（２Ｃ）とし、
可動部側係合部（８）の湾曲部（８Ｒ）の上部（Ｕ）を第３コーナー（３Ｃ）とし、
前記可動部側係合部（８）の湾曲部（８Ｒ）の頂部を第４コーナー（４Ｃ）とし、
前記可動部側係合部（８）の湾曲部（８Ｒ）の下部（Ｄ）を第５コーナー（５Ｃ）とし、
可動部側チューブ押圧部突部（６Ｔ）の湾曲部（６ＴＲ）を第６コーナー（６Ｃ）として、
前記６つの第１コーナー（１Ｃ）から第６コーナー（６Ｃ）で、内部空間（３ＩＳＰ）を取り囲むように細長いループ状に形成した[１]から［３］のいずれか１項に記載のクランプ（１）を提供する。
［５］本発明は、基部側係合部（９）は、末端（ＤＥ）側から上部（Ｕ）側に亘って延長部（９Ｌ）を形成し、当該延長部（９Ｌ）は基端（ＰＥ）側から上部（Ｕ）側に反るように湾曲部（９Ｒ）を形成した［１］から［４］のいずれか１項に記載のクランプ（１）を提供する。
［６］本発明は、可動部（３）の上部（Ｕ）側は、基端連結部（７ＰＥ）の上部（Ｕ）側近傍から頂部（３Ｔ）方向に向けて反るように緩やかに湾曲した上部湾曲部（３ＵＲ）を形成し、
下部（Ｄ）側は可動部側係合部（８）から可動部側チューブ押圧部（６）の可動部側チューブ押圧部突部（６Ｔ）方向に反るように湾曲した下部湾曲部（３ＤＲ）を形成した［１］から［５］のいずれか１項に記載のクランプ（１）を提供する。
［７］本発明は、チューブ（Ｔ）の流路を閉塞した状態で、末端（ＤＥ）方向に延長部（９Ｌ）を押すと前記基部側係合部（９）は末端（ＤＥ）方向に移動し、可動部側係合壁（８Ｗ）と基部側係合壁（９Ｗ）の係合を解除することができる［１］から［６］のいずれか１項に記載のクランプ（１）を提供する。
【０００７】
［８］本発明は、側壁溝（５ＷＳＭ）は、下部（Ｄ）側から上部（Ｕ）側に亘って、下部側壁溝（５ＷＳＭＤ）と上部側壁溝（５ＷＳＭＵ）を繋げて形成した［１］から［７］のいずれか１項に記載のクランプ（１）を提供する。
［９］本発明は、一対の側壁（５ＷＳ）は、一対の側壁溝（５ＷＳＭ）を隔てて、長手（Ｌ）の一方向から他の長手（Ｌ）の一方向に一対の基端側壁（５ＷＳＰＥ）と一対の末端側壁（５ＷＳＤＥ）を形成した[１]から[８]のいずれか１項に記載のクランプ（１）を提供する。
［１０］本発明は、基部側係合部（９）の側部（Ｓ）の一方向から他の側部（Ｓ）の一方向幅を（９ＳＷ）、可動部側係合部（８）の側部（Ｓ）の一方向から他の側部（Ｓ）の一方向の幅を（８ＳＷ）とすると、前記幅（９ＳＷ）と前記幅（８ＳＷ）とを実質的に同じ幅に形成した[１]から[９]のいずれか１項に記載のクランプ（１）を提供する。
［１１］本発明は、基部側チューブ押圧部（２．１）の高さを（Ｈ１）、
基部（２）の上部（Ｕ）から末端側上部壁（５ＤＥＵＷ）の下部（Ｄ）までの高さを（Ｈ２）、
可基端連結部（７ＰＥ）の末端（ＤＥ）側の頂部（７Ｔ）の高さを（Ｈ３）として、
前記高さ（Ｈ３）を１００とすると、前記高さ（Ｈ２）は５０〜３５で、かつ前記高さ（Ｈ１）は２０〜７に形成した[１]から[１０]のいずれか１項に記載のクランプ（１）を提供する。
［１２］本発明は、チューブ（Ｔ）と、［１］から［１１］のいずれか１項に記載のクランプ（１）とを有し、前記チューブ（Ｔ）の途中に、前記クランプ（１）を装着した医療用具を提供する。
【発明の効果】
【０００８】
本発明のクランプ１は、
（１）（特許文献１のように、可動部〈２〉の末端ＤＥ側の側部に一対のガイド部〈８Ｇ〉を設けなくても、）
可動部側係合部８の可動部側係合壁８Ｗと基部側係合部９の基部側係合壁９Ｗの係合によりチューブＴを可動部３の可動部側チューブ押圧部突部６Ｔの湾曲部６ＴＲと基部２の基部側チューブ押圧部２．１の湾曲部２．１Ｒで押圧・挟持した状態で係合を維持することができる。
さらに可動部側チューブ押圧部６の可動部側チューブ押圧部突部６Ｔの湾曲部６ＴＲの側部Ｓ方向の一対の突起６ＴＴがチューブ保持部５の一対の側壁５ＷＳの一対の側壁溝５ＷＳＭに挿入されることにより、クランプの横ずれを規制し、可動部側チューブ押圧部突部６Ｔの湾曲部６ＴＲの欠けを防止する事が出来る。なお突起６ＴＴは、特許文献１のガイド部〈８〉の役割を果たすので、少々欠けてもチューブＴの押圧・挟持には影響しない）
（２）さらにチューブＴは、一対の側壁５ＷＳ及び末端側上部壁５ＤＥＵＷに囲まれた状態で、前記〈１〉の状態で前記〈１〉のように押圧・挟持するので、チューブＴのガタツキがなく確実に閉塞でき、さらにチューブの流路の閉塞状態を長時間、維持継続できる。
（３）可動部３は、側部Ｓの一方向から見て、「細長いループ状」に形成しているので、チューブＴを湾曲部６ＴＲと湾曲部２．１Ｒとで押圧・挟持した時に、チューブＴの弾性反発力を吸収緩和することができる。湾曲部６ＴＲは破損することがない。
【０００９】
（４）可動部側係合部８と基部側係合部９には、それぞれ湾曲部８Ｒ、９Ｒを形成しているため、湾曲部８Ｒが湾曲部９Ｒの下部Ｄないし基部側係合部９の基端ＰＥ側の壁面に接触しても抵抗が少なく下部Ｄ方向へ移動して、可動部側係合壁８Ｗと基部側係合壁９Ｗを係合することができる。
（５）係合を解除するときも、使用者は親指の腹で、末端ＤＥ方向に、延長部９Ｌの湾曲部９Ｒを押すと基部側係合部９は末端ＤＥ方向に移動し、可動部側係合壁８Ｗと基部側係合壁９Ｗの係合を容易に解除することができる。
（６）前記〈５〉と同時に、可動部３は上部Ｕ方向に移動し、可動部側チューブ押圧部突部６Ｔの側部Ｓ方向の一対の突起６ＴＴは、前記チューブ保持部５の側部Ｓ方向の一対の側壁溝５ＷＳＭから外れ、クランプ１はチューブＴの開放状態に容易に戻ることができる。
以上のように本発明のクランプ１は、チューブＴの流路を閉じた状態から開放状態に戻すのも容易である。
（７）また本発明のクランプ１は、チューブＴの流路は完全に閉塞した状態では、図１１のように、湾曲部９Ｒと湾曲部３ＵＲがスペース８９ＳＰを隔てて同方向の湾曲ラインｒを形成し、延長部９Ｌが頂部３Ｔよりも上部Ｕ―末端ＤＥ方向に突出しているので、これにより使用者はチューブＴの流路の閉塞状態を視認にしやすくなる。
【図面の簡単な説明】
【００１０】
【図１】図１は、本発明のクランプを末端ＤＥ−上部Ｕ−第１側部Ｓ１方向から見た斜視図である。
【図２】図２は、本発明のクランプを基端ＰＥ−上部Ｕ−第２側部Ｓ２方向から見た斜視図である。
【図３】図３は、本発明のクランプを末端ＤＥ−下部Ｄ−第１側部Ｓ１方向から見た斜視図である。
【図４】図４は、本発明のクランプを基端ＰＥ−下部Ｄ−第２側部Ｓ２方向から見た斜視図である。
【図５】図５は、本発明のクランプを第１側部Ｓ１方向から見た正面図である。
【図６】図６（Ａ）は、本発明のクランプを末端ＤＥ方向から見た側面図（左側面図）である。図６（Ｂ）は、本発明のクランプを基端ＰＥ方向から見た側面図（右側面図）である。
【図７】図７（Ａ）は、本発明のクランプを上部Ｕ方向から見た天面図である。図７（Ｂ）は、本発明のクランプを下部Ｄ方向から見た底面図である。
【図８】図８（Ａ）は、図５のＡ−Ａ断面図、図８（Ｂ）は、図７（Ｂ）のＤ−Ｄ断面図である。
【図９】図９（Ａ）は、図５のＢ−Ｂ断面図、図９（Ｂ）は、図７（５）のＢ−Ｂ断面図である。
【図１０】図１０（Ａ）は、本発明のクランプが第二の状態（チューブに装着し、チューブの流路を遮断した状態）を示す末端ＤＥ−上部Ｕ−第１側部Ｓ１方向から見た斜視図である。図１０（Ｂ）は、図１０（Ａ）を基端ＰＥ−上部Ｕ−第１側部Ｓ１方向から見た斜視図である。
【図１１】図１１（Ａ）は、本発明のクランプが第二の状態（チューブに装着し、チューブの流路を遮断した状態）を示す第１側部Ｓ１方向から見た正面図である。図１１（Ｂ）は、図１１（Ａ）の縦断面図である。
【発明を実施するための最良の形態】
【００１１】
本発明のクランプ１の理解を容易にするため、以下の定義をおく。
本発明の請求項、発明の説明に付した符号は、本発明のクランプ１の理解を容易にするために記載したものであり、符号そのものが発明を特定するものではない。
本発明のクランプ１は、長手Ｌ方向と、当該長手Ｌ方向に略垂直に交差する側部Ｓ方向（「長手」に対して「短い」方向を意味する）を有する。
本発明で、「末端ＤＥ（側または方向）」とは、長手Ｌ方向の一方向を示し、図１から図５に示すように、可動部側係合部８と基部側係合部９が係合する側の端部、すなわち末端連結部７ＤＥ側の端部を意味する。
【００１２】
本発明で、「基端ＰＥ（側または方向）」とは、長手Ｌ方向の一方向を示し、図１から図５に示すように、「末端ＤＥ（側または方向）」とは反対側の端部、すなわち基端連結部７ＰＥ側の端部を意味する。
本発明で、「水平軸線ＨＬ（方向）」とは、図１に示すように、例えば基部２の長手Ｌ方向に延びる方向（図の破線参照）を意味する。
本発明で、「垂直軸線ＶＬ（方向）」とは、図１から図５に示すように、例えば水平軸線ＨＬの長手Ｌ方向と、上下に略垂直に交差して上下方向に延びる方向（図の破線参照）を意味する。
【００１３】
本発明で、「第１側部Ｓ１（側または方向）」とは、側部Ｓ方向の一方向を示し、図１から図４に示すように、末端ＤＥ方向から見て、クランプ１の右側端部の方向（図の破線矢印参照）を意味する。他方、基端ＰＥ方向から見て、クランプ１の左側端部の方向（図の破線矢印参照）を意味する。
本発明で、「第２側部Ｓ２（側または方向）」とは、側部Ｓ方向の一方向を示し、図１から図４に示すように、末端ＤＥ方向から見て、クランプ１の左側端部の方向（図の破線矢印参照）を意味する。他方、基端ＰＥ方向から見て、クランプ１の右側端部の方向（図の破線矢印参照）を意味する。
【００１４】
本発明で、「上部Ｕ（側または方向）」とは、側部Ｓ方向の一方向を示し、図１から図３に示すように、例えば水平軸線ＨＬの長手Ｌ方向と略垂直に交差して上方向に延びる方向（図の破線参照）を意味する。
本発明で、「下部Ｄ（側または方向）」とは、側部Ｓ方向の一方向を示し、図１から図３に示すように、例えば水平軸線ＨＬの長手Ｌ方向と略垂直に交差して下方向に延びる方向（図の破線参照）を意味する。
【００１５】
例えば側壁５ＷＳの説明で、長手Ｌの一方向から他の長手Ｌの一方向に一対の側壁５ＷＳを形成したとは、基端ＰＥ側の側壁５ＷＳＰＥと末端ＤＥ側の側壁５ＷＳＤＥを形成したことを意味し、側部Ｓの一方向から他の側部Ｓの一方向に一対の側壁５ＷＳを形成したとは、第１側部Ｓ１側の側壁５ＷＳＳ１と第２側部Ｓ２側の側壁５ＷＳＳ２を形成したことを意味する。
基端ＰＥ側の位置のみを特定したい場合は５ＷＳＰＥと記載し、また第１側部Ｓ１側の位置を特定したい場合は５ＷＳＳ１と記載する場合がある。
また当該基端ＰＥ側の側壁５ＷＳＰＥで、かつ第１側部Ｓ１側の位置も特定したい場合は、５ＷＳＰＥＳ１と記載する。
【００１６】
同様に側壁溝５ＷＳＭの説明で、側部Ｓの一方向から他の側部Ｓの一方向に一対の側壁溝５ＷＳＭを形成したとは、上部Ｕ側の側壁溝５ＷＳＭＵと下部Ｄ側の側壁溝５ＷＳＭＤ（または第１側部Ｓ１側の側壁溝５ＷＳＭＳ１と第２側部Ｓ２側の側壁溝５ＷＳＭＳ２）を形成したことを意味する。
側部Ｓの一方向から他の側部Ｓの一方向に一対の側壁溝５ＷＳＭを形成したとは、第１側部Ｓ１側の側壁溝５ＷＳＭＳ１と第２側部Ｓ２側の側壁溝５ＷＳＭＳ２（または上部Ｕ側の側壁溝５ＷＳＭＵと下部Ｄ側の側壁溝５ＷＳＭＤ）を形成したことを意味する。
上部Ｕ側の位置を特定したい場合は５ＷＳＭＵと記載し、また第１側部Ｓ１側の位置を特定したい場合は５ＷＳＭＳ１と記載する場合がある。
また当該上部Ｕ側の側壁溝で、かつ第１側部Ｓ１側の位置も特定したい場合は、５ＷＳＭＵＳ１と記載する。
その他の部材も同様である。
【００１７】
本発明の説明で、「第一の状態」とは、図１から図５に示すように、チューブＴ（図示せず）に装着し、チューブＴの流路を遮断する前の開放状態を意味する。
「第二の状態」とは、図１０、図１１に示すように、チューブＴに装着し、チューブＴの流路を遮断した状態を意味する。
【００１８】
［クランプ１］
本発明のクランプ１は、図１から図１１に記載した。以下、図１〜図１１を参照しながら説明する。
【００１９】
本発明のクランプ１は、図１から図５に例示するように、基部２と可動部３を有する。
［（注）本発明の説明で、このように「任意の部材（部品）」を「有する」とは、すくなくともその「任意の部材（部品）」を「持つ」、「含む」等と実質的に同じ意味である。］
［基部２］
基部２は、図１から図５に示すように、下部Ｄ側に、いわゆる「略板状」に形成している。基部２は、その他に底部、基板、固定部という場合もある。
【００２０】
基部２は、基端ＰＥ側に基端連結部７ＰＥを形成している。
［（注）本発明の説明で、このように「任意の部材（部品）」の一端部に「他の部材（部品）」を「形成」しているとは、「接続」、「連結」、「延設」、「配置」等と実質的に同じ意味である。］
基端連結部７ＰＥは、下部Ｄ側から基端ＰＥ側、さらに上部Ｕ側へ向けて湾曲（または屈曲ともいう）している。
基端連結部７ＰＥは、基端開口７ＰＥＯを形成している。
［（注）本発明の説明で、このように「任意の部材（部品）」に「開口」を「形成」しているとは、「任意の部材（部品）」の少なくとも任意の位置に、任意の形態の「開口」をすくなくとも一箇所形成していればよいことを意味する。］
さらに基端連結部７ＰＥの上部Ｕ側に、可動部３を形成している。
【００２１】
基部２は、末端ＰＥ側に末端連結部７ＤＥを形成している。
末端連結部７ＤＥは、下部Ｄ側から末端ＤＥ側、さらに上部Ｕ側へ向けて湾曲している。
末端連結部７ＤＥは、開口７ＤＥＯを形成している。
末端連結部７ＤＥは、上部Ｕ側に基部側係合部９を形成している。
基部側係合部９は、図１から図５の例示では、基端ＰＥ側に突設し、いわゆる「凸状」（または突状、突部ともいう）に形成している。
基部側係合部９の下部Ｄ側の壁は、基部側係合壁９Ｗとしての役割を果たす。（機能する。）
基部側係合部９は、末端ＤＥ側から上部Ｕ側に亘って延長部９Ｌを形成している。
延長部９Ｌは、基端ＰＥ側から上部Ｕ側に反るように湾曲部９Ｒを形成している。
【００２２】
基部２は、長手Ｌ方向の略中央部（やや基端ＰＥ側より）の上部Ｕ側（天面側）に基部側チューブ押圧部２．１を形成している。
基部側チューブ押圧部２．１は、図８（Ｂ）に例示するように、第１側部Ｓ１方向からみて、いわゆる「略波形状」に形成している。当該略波形の頂点近傍に相当する領域は上部Ｕ側から末端ＤＥ側に向けて湾曲部２．１Ｒを形成している。
【００２３】
基部２は、図１に例示するように、長手Ｌ方向に見て略中央で、かつ上部Ｕ（天面）側にチューブ保持部５を有する。
［（注）本発明の説明で、このように「任意の部材（部品）」に、「他の部材（部品）」を「有する」とは、「任意の部材（部品）」に、「他の部材（部品）」を「形成」、「接続」、「連結」、「延設」、「突設」、「配置」している等と実質的に同じ意味である。］
チューブ保持部５は基部側チューブ押圧部２．１を、側部Ｓの一方向から他の側部Ｓの一方向（第１側部Ｓ１と第２側部Ｓ２側）及び末端ＤＥ側から上部Ｕ側で覆うように基部２の下部Ｄ側から上部Ｕ側に立設している。
チューブ保持部５は、側部Ｓの一方向から他の側部Ｓの一方向（第１側部Ｓ１側と第２側部Ｓ２側）に一対の側壁５ＷＳ（５ＷＳＳ１、５ＷＳＳ２）を形成している。長手Ｌ方向に見て、一対の側壁５ＷＳ（５ＷＳＳ１、５ＷＳＳ２）の略中央部に側壁溝５ＷＳＭを形成している。
【００２４】
一対の側壁５ＷＳは、側壁溝５ＷＳＭを隔てて、長手Ｌの一方向から他の長手Ｌの一方向（基端ＰＥ側と末端ＤＥ側）に一対の基端側壁５ＷＳＰＥと末端側壁５ＷＳＤＥを形成している。
基端側壁５ＷＳＰＥと末端側壁５ＷＳＤＥは、側部Ｓの一方向から他の側部Ｓの一方向（第１側部Ｓ１側と第２側部Ｓ２側）に一対の基端側第１側壁５ＷＳＰＥＳ１と基端側第２側壁５ＷＳＰＥＳ２、末端側第１側壁５ＷＳＤＥＳ１と末端側第２側壁５ＷＳＤＥＳ２を形成している。
さらにチューブ保持部５は、末端ＤＥ側から上部Ｕ側に亘って末端側上部壁５ＤＥＵＷを形成している。
換言すれば、末端側第１側壁５ＷＳＤＥＳ１と末端側第２側壁５ＷＳＤＥＳ２は、末端ＤＥ側から上部Ｕ側に亘って、いわゆる「略アーチ状」の末端側上部壁５ＤＥＵＷにより繋がっている。
【００２５】
側壁溝５ＷＳＭは、側部Ｓの一方向から他の側部Ｓの一方向［上部Ｕ側と下部Ｄ側（基部２の略天面近傍）］に亘って上部側壁溝５ＷＳＭＵと下部側壁溝５ＷＳＭＤを形成している。
下部Ｄ側（基部２の略天面近傍）から上部Ｕ側に亘って下部側壁溝５ＷＳＭＤと上部側壁溝５ＷＳＭＵを繋げて形成している。
上部側壁溝５ＷＳＭＵと下部側壁溝５ＷＳＭＤは、側部Ｓの一方向から他の側部Ｓの一方向から（第１側部Ｓ１側と第２側部Ｓ２側）に上部第１側壁溝５ＷＳＭＵＳ１と上部第２側壁溝５ＷＳＭＵＳ２、下部第１側壁溝５ＷＳＭＤＳ１と下部第２側壁溝５ＷＳＭＤＳ２を形成している。
上部側壁溝５ＷＳＭＵの上部Ｕ側は上部開口５ＵＯを形成している。上部開口５ＵＯは、上部Ｕ側で、かつ末端側壁５ＤＥＷの基端ＰＥ側との間に形成している。
下部Ｄ側は基部２の上部Ｕ（天面）近傍で閉じている。
下部側壁溝５ＷＳＭＤはいわゆる略半円状に形成し、上部側壁溝５ＷＳＭＵは上部Ｕ方向（のやや末端ＤＥ側寄りに）に向けて拡大している。いわゆる略漏斗状に形成している。
【００２６】
チューブ保持部５は、一対の側壁５ＷＳ、すなわち長手Ｌの一方向から他の長手Ｌの一方向に側壁（基端側壁５ＷＳＰＥと末端側壁５ＷＳＤＥ）、さらにいえば側部Ｓの一方向から他の側部Ｓの一方向に側壁（基端側第１側壁５ＷＳＰＥＳ１、基端側第２側壁５ＷＳＰＥＳ２、末端側第１側壁５ＷＳＤＥＳ１、末端側第２側壁５ＷＳＤＥＳ２）及び末端側上部壁５ＤＥＵＷで、チューブ保持空間５ＳＰを形成している。
本発明のクランプ１は、以上のように側部Ｓの一方向から他の側部Ｓの一方向（第１側部Ｓ１側と第２側部Ｓ２側）の一対の側壁５ＷＳ、（後術する）上部Ｕ側の可動部側チューブ押圧部突部６Ｔの湾曲部６ＴＲ、下部Ｄ側の基部側チューブ押圧部２．１の湾曲部２．１Ｒ、及び末端側上部壁５ＤＥＵＷによりチューブＴを保持することができる。
【００２７】
［可動部３］
可動部３は、第１側部Ｓ１側（第２側部Ｓ２側も同じ）から見て、いわゆる「湾曲した略板状」の部材を、基端連結部７ＰＥの上部Ｕ側から末端ＤＥ側の可動部側係合部８、当該可動部側係合部８の下部Ｄ側から基端ＰＥ側に戻って、可動部側チューブ押圧部６の基端ＰＥ側に至るまで、長手Ｌ方向にいわゆる「細長いループ状」に繋げて形成している。
可動部３は、天上部、可動板、封止部という場合もある。
【００２８】
可動部３は、末端ＤＥ側に可動部側係合部８を形成している。
可動部側係合部８は、第１側部Ｓ１側（第２側部Ｓ２側も同じ）から見て、末端側ＤＥから下部Ｄ側に向けて、いわゆる略「く」の字状の湾曲部８Ｒを形成している。
また上部Ｕ側は平坦に形成している。当該平坦部は可動部側係合壁８Ｗとしての役割を果たす。当該可動部側係合壁８Ｗの基端ＰＥから上部Ｕ側に頂部３Ｔを形成している。
可動部３の天面（上部Ｕ側）は、基端連結部７ＰＥの上部Ｕ側近傍から頂部３Ｔ方向に向けて反るように緩やかに湾曲した上部湾曲部３ＵＲを形成している。さらに当該上部湾曲部３ＵＲに側部Ｓ方向に沿うように、細長い複数の突起３Ｋを形成している。
頂部３Ｔも上部Ｕ側は湾曲部３ＴＲを形成している。
下部Ｄ側は可動部側係合部８から（後述する）可動部側チューブ押圧部６の可動部側チューブ押圧部突部６Ｔ方向に反るように湾曲した下部湾曲部３ＤＲを形成している。
【００２９】
可動部３は、下部Ｄ側に可動部側チューブ押圧部６を形成している。可動部側チューブ押圧部６は、図５に例示するように、第１側部Ｓ１方向からみて、下部Ｄ側に向けて先細りとなるように、いわゆる「略Ｖ字状」に形成している。
さらにいえば、可動部側チューブ押圧部６は、下部Ｄ側に可動部側チューブ押圧部突部６Ｔを形成している。可動部側チューブ押圧部突部６Ｔは、図１、図９（Ｂ）に例示するように、略中央部（チューブＴ押圧部）は下部Ｄ側に湾曲した湾曲部６ＴＲ（略半円状、略半球状）を形成している。  このように可動部側チューブ押圧部６は、「細長いループ状」の一部を形成し、「略Ｖ」字の下部Ｄは湾曲している点で、特許文献１のクランプと異なる。
以上のように、可動部３は、基端連結部７ＰＥの上部Ｕ側を第１コーナー１Ｃとし、当該第１コーナー１Ｃから、頂部３Ｔ（湾曲部３ＴＲ／第２コーナー２Ｃを形成）、湾曲部８Ｒの上部Ｕ（第３コーナー３Ｃを形成）、湾曲部８Ｒの頂部（第４コーナー４Ｃを形成）、湾曲部８Ｒの下部Ｄ（第５コーナー５Ｃを形成）、下部湾曲部３ＤＲ、可動部側チューブ押圧部６、可動部側チューブ押圧部突部６Ｔ（湾曲部６ＴＲ／第６コーナー６Ｃを形成）を経て、再び基端連結部７ＰＥの上部Ｕ側（第１コーナー１Ｃ）に至るまで、当該６つのコーナー（第１コーナー１Ｃから第６コーナー６Ｃ）で、内部空間３ＩＳＰを取り囲むように「細長いループ状」を形成している。
【００３０】
可動部側チューブ押圧部突部６Ｔの湾曲部６ＴＲは側部Ｓの一方向から他の側部Ｓの一方向（第１側部Ｓ１と第２側部Ｓ２側）に、いわゆる「略円柱状（略円管状）」の一対の突起６ＴＴ（第１側部Ｓ１側の突起６ＴＴＳ１と第２側部Ｓ２側の突起６ＴＴＳ２）を形成している。
当該各突起６ＴＴＳ１、６ＴＴＳ２は、クランプ１の閉塞時に前記チューブ保持部５の側部Ｓの一方向（下部Ｄ側）で、側部Ｓの一方向から他の側部Ｓの一方向（第１側部Ｓ１側と第２側部Ｓ２側）において、一対の側壁溝５ＷＳＭ（下部第１側壁溝５ＷＳＭＤＳ１と下部第２側壁溝５ＷＳＭＤＳ２）に挿入される。当該突起６ＴＴは、このようにクランプ１の閉塞時に前記側壁溝５ＷＳＭに挿入されることにより、横ずれ防止の役割を果たす。（特許文献１のガイド部〈８〉の役割を果たす。）
チューブＴは、可動部側チューブ押圧部突部６Ｔの湾曲部６ＴＲと、基部側チューブ押圧部２．１の湾曲部２．１Ｒとの間で押圧・挟持される。
【００３１】
図６（Ａ）、（Ｂ）に示すように、基部側係合部９の側部Ｓの一方向から他の側部Ｓの一方向（第１側部Ｓ１−第２側部Ｓ２方向）の幅を９ＳＷ、可動部側係合部８の側部Ｓの一方向から他の側部Ｓの一方向（第１側部Ｓ１−第２側部Ｓ２方向）の幅を８ＳＷとすると、９ＳＷと８ＳＷは実質的に同じ幅に形成しているので、係合を安定して長時間維持することができる。
図８（Ｂ）に示すように、基部側チューブ押圧部２．１の高さをＨ１、
基部２の上部Ｕ（天面）から末端側上部壁５ＤＥＵＷの下部Ｄ（底面）までの高さをＨ２、可基端連結部７ＰＥの末端ＤＥ側の頂部７Ｔ（最も高い位置にある箇所）の高さをＨ３とすると、Ｈ３の高さを１００とすると、Ｈ２は５０〜３５、Ｈ１は２０〜７に形成している。
チューブＴは、基部２の上部Ｕ（天面）近傍[低い位置（Ｈ１が２０〜７の位置）]で、湾曲部６ＴＲと湾曲部２．１Ｒにより、押圧・挟持をすることができる。これにより[あまり高い位置（Ｈ１が３０〜４０を超える位置）で押圧・挟持するよりも）]押圧・挟持状態を安定させることができる。
【００３２】
チューブＴは、一対の側壁５ＷＳ、すなわち基端側壁５ＷＳＰＥと末端側壁５ＷＳＤＥ、さらにいえば基端側第１側壁５ＷＳＰＥＳ１、基端側第２側壁５ＷＳＰＥＳ２、末端側第１側壁５ＷＳＤＥＳ１及び末端側第２側壁５ＷＳＤＥＳ２並びに末端側上部壁５ＤＥＵＭに包囲された状態で、可動部側係合壁８Ｗと基部側係合壁９Ｗとが係合する。さらに第１側部側突起６ＴＳ１と第２側部側突起６ＴＳ２は、前記チューブ保持部５の下部第１側壁溝５ＷＳＭＤＳ１と下部第２側壁溝５ＷＳＭＤＳ２に挿入される。
これによりチューブＴは、基部２の上部Ｕ（天面）近傍で、湾曲部６ＴＲと湾曲部２．１Ｒに押圧・挟持され、チューブＴのガタツキがなく確実に閉塞でき、さらにチューブの流路の閉塞状態を長時間、維持継続できる。
【００３３】
次に本発明のクランプ１の使用方法について説明する。
[クランプ１とチューブＴの組み立て]
チューブＴの基端ＰＥを、クランプ１の末端開口７ＤＥＯ、末端開口５ＤＥＯを経て、チューブ保持空間５ＳＰに挿入する。
さらにチューブＴの基端ＰＥを、クランプ１のチューブ保持空間５ＳＰから、基端開口５ＰＥＯを経て、基端開口７ＰＥＯより、クランプ１の基端ＰＥ側より外に引き出して、クランプ１に装着する。これにより図１から図５（チューブＴはあえて図示せず）のように「第一の状態」となる。
［（注）本発明で、チューブＴをクランプ１に「装着」するとは、チューブＴをクランプ１の前記末端開口７ＤＥＯ、末端開口５ＤＥＯ、チューブ保持空間５ＳＰ、基端開口５ＰＥＯ、基端開口７ＰＥＯの符号で示した開口に「通す」、「挿入」、「挿着」、「差し入れる」等して、クランプ付き医療用具を組み立てることを意味する。］
【００３４】
「第一の状態」から「第二の状態」
「第一の状態」（図１から図５）から、例えば片手でクランプ１を持って、親指の腹で可動部３を基部２方向（末端ＤＥ側から下部Ｄ方向）に押し下げる。
可動部側係合部８（可動部側係合壁８Ｗ）は、基部側係合部９（基部側係合壁９Ｗ）に向けて移動する。
湾曲部８Ｒは、湾曲部９Ｒの下部Ｄないし基部側係合部９の基端ＰＥ側の壁面に接触し、基部側係合部９を基部２方向（末端ＤＥ側から下部Ｄ方向）に押し下げる。
（可動部側チューブ押圧部６の）可動部側チューブ押圧部突部６Ｔの湾曲部６ＴＲも、チューブ保持部５の上部開口５ＵＯへ向けて移動し、上部開口５ＵＯを経て、チューブ保持空間５ＳＰ内に侵入し、上部Ｕ側から、チューブＴの押圧を開始する。
【００３５】
可動部側係合壁８Ｗは、一度基部側係合壁９Ｗよりも下部Ｄ側に移動するが、基端連結部７ＰＥの弾性変形により、上部Ｕ側に戻り、基部側係合壁９Ｗと係合する。
可動部側係合部８は湾曲部８Ｒに沿って滑らかに湾曲部９Ｒの下部Ｄないし基部側係合部９の基端ＰＥ側の壁面に接触しても抵抗が少なく下部Ｄ方向へ移動することができる。
【００３６】
可動部側チューブ押圧部突部６Ｔの湾曲部６ＴＲは、チューブ保持空間ＳＰ内に深く侵入し、上部Ｕ側から、チューブＴを押圧する。チューブＴは、下部Ｄ側、すなわち基部側チューブ押圧部２．１の湾曲部２．１Ｒ側からも押圧される。
この時、チューブＴは、チューブ保持部５の一対の側壁５ＷＳ、すなわち基端側壁５ＷＳＰＥと末端側壁５ＷＳＤＥ、さらにいえば基端側第１側壁５ＷＳＰＥＳ１、基端側第２側壁５ＷＳＰＥＳ２、末端側第１側壁５ＷＳＤＥＳ１、末端側第２側壁５ＷＳＤＥＳ２及び末端側上部壁５ＤＥＵより保持される。
可動部側チューブ押圧部突部６Ｔの湾曲部６ＴＲの第１側部Ｓ１と第２側部Ｓ２側の、いわゆる「略円柱状（略円管状）」の突起６ＴＴＳ１、６ＴＴＳ２は、前記チューブ保持部５の下部第１側壁溝５ＷＳＭＤＳ１と下部第２側壁溝５ＷＳＭＤＳ２に挿入される。
チューブＴは、前記のように押圧・挟持され、かつ保持されるので、チューブ保持部５内で上下左右に動く（ガタツク）ことがない。
【００３７】
チューブＴは、上部Ｕ側から可動部側チューブ押圧部突部６Ｔのアール部６ＴＲ、下部Ｄ側から基部側チューブ押圧部２．１の湾曲部２．１Ｒから押圧され、チューブＴの流路は完全に閉塞する。
押圧・挟持されたチューブＴは、第１側部Ｓ１−第２側部Ｓ２方向に広がるが、チューブＴは、側壁５ＷＳＳ１、側壁５ＷＳＳ２に強く押しつけられても、チューブＴの構成材料は上部開口５ＵＯの末端ＤＥ側と基端ＰＥ側へ逃げることができるので、チューブＴの流路は完全に閉塞することができる。
また可動部３は前記のようにいわゆる「細長いループ状」に形成しているので、チューブＴを可動部側チューブ押圧部突部６Ｔの湾曲部６ＴＲと押圧部２．１の湾曲部２．１Ｒで、押圧・挟持した時に、チューブＴの弾性反発力を下部湾曲部３ＤＲから可動部側チューブ押圧部突部６Ｔの基端ＰＥ側で吸収し緩和することができる。このため可動部側チューブ押圧部突部６Ｔの湾曲部６ＴＲは、チューブＴを押圧・挟持した時に、破損する虞がない。
【００３８】
クランプ１の末端ＤＥ側で、可動部側係合壁８Ｗと基部側係合壁９Ｗの係合が維持される。さらにクランプ１の略中央からやや基端ＰＥ側寄りから可動部側チューブ押圧部突部６Ｔ（湾曲部６ＴＲ）の一対の突起[第１側部Ｓ１と第２側部Ｓ２側の突起６ＴＳ１、６ＴＳ２は、前記チューブ保持部５の一対の側壁溝５ＷＳＭＳ１、５ＷＳＭＳ２（第１側壁溝５Ｓ１ＷＭ、第１側壁溝５Ｓ１ＷＭ）に挿入された状態が維持される。すなわち離間した異なる二箇所の位置で係合状態と挿入状態が維持されるので、チューブの流路の閉塞状態を長時間、安定して維持継続できる。
【００３９】
「第二の状態」から「第一の状態」
チューブＴの流路は完全に閉塞した状態では、図１１のように、湾曲部９Ｒと湾曲部３ＵＲがスペース８９ＳＰを隔てて同方向の湾曲ラインｒを形成し、延長部９Ｌが頂部３Ｔよりも上部Ｕ―末端ＤＥ方向に突出しているので、これにより使用者はチューブＴの流路の閉塞状態を視認しやすくなる。
前記湾曲ラインｒは、使用者の親指の腹（湾曲部９Ｒと上部湾曲部３ＵＲの連続した湾曲ラインｒと同様の湾曲ラインｒを有する）とフィットする。
【００４０】
可動部３の頂部３Ｔと延長部９Ｌの湾曲部９Ｒとの間にスペース８９ＳＰがあり、使用者は親指の腹で、末端ＤＥ方向に、延長部９Ｌの湾曲部９Ｒを押すと基部側係合部９は末端ＤＥ方向に移動し、可動部側係合壁８Ｗと基部側係合壁９Ｗの係合は解除される。
これと同時に、可動部３は上部Ｕ方向へ移動し、可動部側チューブ押圧部突部６Ｔの一対の突起６ＴＴＳ１、６ＴＴＳ２もチューブ保持部５の一対の側壁溝５ＷＳＭ（下部第１側壁溝５ＷＳＭＤＳ１と下部第２側壁溝５ＷＳＭＤＳ２）から外れて（離脱して）、末端ＤＥ−上部Ｕ方向に移動するので、クランプ１は「第一の状態」（チューブＴの開放状態）に戻ることができる。
以上のように本発明のクランプ１は、チューブＴの流路を閉じた状態から開放状態に戻すのも容易である。
【００４１】
本発明のクランプ１は、同一材料で一体成形により形成することが好ましい。
例えば、射出成形等が可能な熱可塑性合成樹脂で形成することが好ましく、例えばＰＥ（ポリエチレン）、ＰＰ（ポリプロピレン）、ＰＢ（ポリブチレン）、ＰＳ（ポリスチレン）、ＰＶＣ（ポリ塩化ビニル）、ＰＭＭＡ（ポリメチルメタクリレート）、ＰＭＡ（ポリメチルアクリレート）、ＰＣ（ポリカーボネート）、ＰＡｍ（ポリアミド）等があげられるが、これに限定されるものではない。
【符号の説明】
【００４２】
１       クランプ
２       基部
２．１    基部側チューブ押圧部
２．１Ｒ  湾曲部
３  可動部
３ＵＲ    上部湾曲部
３ＤＲ    下部湾曲部
３Ｔ    頂部
３ＴＲ  湾曲部
３Ｋ      突起
５   チューブ保持部
５ＷＳ      側壁
５ＷＳＰＥ  基端側壁
５ＷＳＤＥ  末端側壁
５ＷＳＰＥＳ１  基端側第１側壁
５ＷＳＰＥＳ２  基端側第２側壁
５ＷＳＤＥＳ１  末端側第１側壁
５ＷＳＤＥＳ２  松端側第２側壁
５ＷＳＭ    側壁溝
５ＷＳＭＵ  上部側壁溝
５ＷＳＭＤ  下部側壁溝
５ＷＳＭＵＳ１  上部第１側壁溝
５ＷＳＭＵＳ２  上部第２側壁溝
５ＷＳＭＤＳ１  下部第１側壁溝
５ＷＳＭＤＳ２  下部第２側壁溝
５ＤＥＵＷ  末端側上部壁
５ＵＯ      上部開口
５ＰＥＯ    基端開口
５ＤＥＯ    基端開口
５ＳＰ      チューブ保持空間
６  可動部側チューブ押圧部
６Ｔ  可動部側チューブ押圧部突部
６ＴＲ  湾曲部
６ＴＴＳ１  第１側部側突起
６ＴＴＳ２  第２側部側突起
７ＰＥ  基端連結部
７ＰＥＯ  基端開口
７Ｔ  頂部
７ＤＥ  末端連結部
７ＤＥＯ  末端開口
８    可動部側係合部
８Ｒ  湾曲部
８Ｗ  可動部側係合壁
９    基部側係合部
９Ｗ  基部側係合壁
９Ｌ  延長部
９Ｒ  湾曲部
Ｔ    チューブ
Ｌ    長手方向
ＨＬ  水平軸線
ＶＬ  垂直軸線
ＰＥ  基端
ＤＥ  末端
Ｓ    側部方向
Ｓ１  第１側部
Ｓ２  第２側部
Ｕ  上部
Ｄ  下部
ｒ  湾曲ライン
８９ＳＰ  スペース（基部側係合部８と可動部側係合部９との間のスペース）
３ＩＳＰ  内部空間（可動部３）
１Ｃ  第１コーナー
２Ｃ  第２コーナー
３Ｃ  第３コーナー
４Ｃ  第４コーナー
５Ｃ  第５コーナー
６Ｃ  第６コーナー
【図１】
2017148442.tif 000003
【図２】
2017148442.tif 000004
【図３】
2017148442.tif 000005
【図４】
2017148442.tif 000006
【図５】
2017148442.tif 000007
【図６】
2017148442.tif 000008
【図７】
2017148442.tif 000009
【図８】
2017148442.tif 000010
【図９】
2017148442.tif 000011
【図１０】
2017148442.tif 000012
【図１１】
2017148442.tif 000013